(57)【要約】  換気マスクの保管装置３００、４００、５００は、第１の本体部材３１０、４１０、５１０及び第２の本体部材３２０、４２０、５２０、前記第１及び第２の本体部材が１つに合わさって、換気マスク１０を収容するために構成される囲まれた空間３０５、４０５、５０５を前記部材間に定めるように、前記第１及び第２の本体部材を接続しているヒンジ３３０、４３０、５３０、留め金が噛み合うとき、前記第１及び第２の本体部材を一緒に保持するための、前記第１及び第２の本体部材に接続される留め金３４０、４４０、４５０、換気マスクが前記囲まれた空間内に置かれるとき、回線１５がこの換気マスクに接続されることを可能にするための、前記第１及び第２の本体部材の少なくとも一方にある開口３００、４００、５００、並びに前記装置を人工呼吸器又は人工呼吸器のカートに取り付けるために、前記第１及び第２の本体部材の少なくとも一方に設けられるコネクタを有する。
2013510625.tif 000002
【特許請求の範囲】
【請求項１】
第１の本体部材、
第２の本体部材、
前記第１の本体部材及び前記第２の本体部材が１つに合わさって、換気マスクを収容するために構成される実質的に囲まれた空間を前記部材間に定めるように、第１の本体部材を第２の本体部材に接続するヒンジ、
留め金装置が噛み合うとき、前記第１の本体部材及び前記第２の本体部材を一緒に保持するための、前記第１の本体部材及び前記第２の本体部材に接続される留め金装置、
前記換気マスクが前記実質的に囲まれた空間内に置かれるとき、回線が前記換気マスクに接続されることを可能にするために構成される前記第１及び第２の本体部材の少なくとも一方にある開口、並びに
前記第１及び第２の本体部材の少なくとも一方に設けられ、装置を人工呼吸器及び人工呼吸器のカートの一方に取り付けるように構成されるコネクタ
を有する装置。
【請求項２】
前記換気マスクが前記実質的に囲まれた空間内に置かれるとき、前記換気マスクを殺菌するように構成される殺菌システムをさらに有する請求項１に記載の装置。
【請求項３】
前記殺菌システムは、紫外線（ＵＶ）光を含む請求項２に記載の装置。
【請求項４】
前記紫外線光に電力を選択式に供給するためのスイッチをさらに有し、前記スイッチは、前記第１の本体部材及び前記第２の本体部材が１つに合わさって、前記実質的に囲まれた空間を前記部材間に定めるとき、前記紫外線光に電力を供給するために噛み合うように構成され請求項３に記載の装置。
【請求項５】
前記第１の本体部材はハウジングであり、前記第２の本体部材は前記ハウジングのためのドアである、請求項１に記載の装置。
【請求項６】
前記第１及び第２の本体部材は各々滅菌材料を含んでいる請求項１に記載の装置。
【請求項７】
前記第１及び第２の本体部材は各々ポリスチレンを含んでいる請求項１に記載の装置。
【請求項８】
前記第１の本体部材に隣接する第３の本体部材、及び
前記第２の本体部材に隣接する第４の本体部材
をさらに有する装置において、前記第３及び第４の本体部材は、前記第１の本体部材及び前記第２の本体部材が１つに合わさって、前記実質的に囲まれた空間を前記部材間に定めるとき、前記第３及び第４の本体部材が前記実質的に囲まれた空間の内部に入れ子式に収納されるように構成される請求項１に記載の装置。
【請求項９】
前記コネクタは、前記人工呼吸器又は前記人工呼吸器のカートの一部の辺りに装着されるように構成されるフックを含んでいる請求項１に記載の装置。
【請求項１０】
前記コネクタは、前記人工呼吸器又は前記人工呼吸器のカートの一部に締め付けられるように構成される締め付け装置を含んでいる、請求項１に記載の装置。
【請求項１１】
前記コネクタは、フック及びペグの一方に置かれるための、前記第１及び第２の本体部材の一方にある開口を含んでいる、請求項１に記載の装置。
【請求項１２】
前記コネクタは、前記人工呼吸器又は前記人工呼吸器のカートの一方に接続される支柱に装着されるように構成される中空の支柱を含んでいる、請求項１に記載の装置。
【請求項１３】
請求項１に記載の装置において、前記コネクタは第１のコネクタであり、前記装置はさらに、前記第１及び第２の本体部材の少なくとも一方に設けられ、ストラップを前記第１のコネクタ及び前記第２のコネクタに通すことにより、前記装置を人工呼吸器及び人工呼吸器のカートの一方に取り付けるように、前記第１のコネクタと一緒に構成される前記第２のコネクタを有する装置。
【請求項１４】
前記換気マスクを前記囲まれた空間内に固定するための、前記第１及び第２の本体部材の一方の内部表面上に置かれるフックをさらに有する請求項１に記載の装置。
【請求項１５】
装置は、
第１の側及び第２の側を持つ本体部材であり、前記第１の側は、換気マスクを収容及び保持するために構成される窪みを当該側に定めている、本体部材、並びに、
前記装置を人工呼吸器及び人工呼吸器のカートの一方に取り付けるように構成される前記本体部材の前記第２の側に設けられるコネクタ
を有する装置。
【請求項１６】
前記コネクタは、前記本体部材の前記第２の側から延在している中空の支柱を有し、前記中空の支柱は、前記人工呼吸器又は前記人工呼吸器のカートの一方に接続される支柱に装着されるように構成される請求項１５に記載の装置。
【請求項１７】
前記コネクタは、前記人工呼吸器又は前記人工呼吸器のカートの一方の一部の周りに装着されるように構成されるフックを含んでいる請求項１５に記載の装置。
【請求項１８】
前記コネクタは、前記人工呼吸器又は前記人工呼吸器のカートの一方の一部に締め付けられるように構成される締め付け装置を含んでいる請求項１５に記載の装置。
【請求項１９】
請求項１５に記載の装置において、前記コネクタは第１のコネクタであり、前記装置はさらに、前記第１の及び第２の本体部材の少なくとも一方に設けられ、ストラップを前記第１及び第２のコネクタに通すことにより、前記装置を人工呼吸器又は人工呼吸器のカートの一方に取り付けるように、前記第１のコネクタと一緒に構成される第２のコネクタを有する装置。
【発明の詳細な説明】
【技術分野】
【０００１】
本発明は、換気マスク及び特に換気マスク用の保管装置に関する。
【背景技術】
【０００２】
人工呼吸器は様々な状況において使用される。病院において、患者の医療の一部として、患者は換気されることがある。家庭では、持続的陽圧呼吸（ＣＰＡＰ）マシンを使用して、睡眠時無呼吸問題に対処する人々がますます増加している。人工呼吸器は、人工呼吸器の回線(circuit)（通例は柔軟なホース）を介して人工呼吸器のマシンに接続される換気マスクを介して人と接続して動作(interface)している。
【０００３】
図１は、換気マスク１０、及び換気マスク１０を人工呼吸器（図１に図示せず）に接続する人工呼吸器の回線１５を備えた患者の一例を説明している。換気マスク１０は、１つのストラップ１４又は複数のストラップ（例えばVELCRO（登録商標）又はマジックテープ(hook and loop)式のアタッチメントを用いて固定されるストラップ）がコネクタを通り、それにより換気マスク１０を患者の頭部に固定するように構成される２つのコネクタを含む。
【０００４】
図２は、換気マスク１０の他の実施例のより詳細な説明を示す。
【発明の概要】
【発明が解決しようとする課題】
【０００５】
一般に人工呼吸器を使用している患者は、患者が人工呼吸器を外される時間がある。例えば、何人かの患者は、単に呼吸筋を休ませる手段として夜間に換気される。患者は、食べる、飲む又は医療処置を受けるために、人工呼吸器から一時的に切り離されることもある。
【０００６】
しかしながら、人工呼吸器を使用している間に、このマスクを保管するための安全且つ都合のいい場所がない。換気を行わない間、換気マスク１０及び取り付けられる人工呼吸器の回線１５は通例、ベッドサイドのテーブルに置かれる、人工呼吸器若しくはこの人工呼吸器がその上に設けられる人工呼吸器のカートに置かれる支持アーム又はレールに巻きつけられる、又はベッドの脇のどこか他の場所に置かれる。換気マスク１０及び取り付けられる人工呼吸器の回線１５をベッドサイドにおいていい加減に置くことは、このマスクを汚染されやすい（例えば床に落ちる、汚染表面と接触する又は浮遊汚染物質に曝される）ままにする。加えて、換気マスク１０は汚染されると、簡単な消毒をする方法がない。現在の実施において、臨床医は、換気マスク１０をきれいにしておくために、例えば換気マスク１０を手術用手袋内に入れる又はプラスチックの包装バッグを再使用するような、満足とは言えない解決法を使用することを分かっている。
【０００７】
従って、換気マスクを一時的に使用していないとき、このマスクをより滅菌した状態で保つための装置を供給することが望ましい。
【課題を解決するための手段】
【０００８】
本発明の１つの態様において、換気マスクを使用していないとき、この換気マスク用の保管装置が供給される。この保管装置は、第１の本体部材、第２の本体部材、これら第１の本体部材及び第２の本体部材が１つに合わさって、換気マスクを収容するために構成される実質的に囲まれた空間をそれら部材間に定めるように、第１の本体部材を第２の本体部材に接続するヒンジ、留め金(clasping)装置が噛み合うとき、第１の本体部材及び第２の本体部材を一緒に保持するための、第１の本体部材及び第２の本体部材に接続される留め金装置、換気マスクが前記実質的に囲まれた空間内に置かれるとき、回線がこの換気マスクに接続されることを可能にするために構成される第１及び第２の本体部材の少なくとも一方にある開口、並びに第１及び第２の本体部材の少なくとも一方に設けられ、前記装置を人工呼吸器及び人工呼吸器のカートの一方に取り付けるように構成されるコネクタを有する。
【０００９】
本発明の他の態様において、換気マスクを使用していないとき、この換気マスク用の他の保管装置が供給される。この保管装置は、第１の側及び第２の側を持つ本体部材であり、この第１の側が換気マスクを収容及び保持するために構成される窪み(recess)をそこに定める本体部材と、前記装置を人工呼吸器及び人工呼吸器のカートの一方に取り付けるように構成される、前記本体部材の第２の側に設けられるコネクタとを有する。
【図面の簡単な説明】
【００１０】
【図１】換気マスクを備えた患者を説明する。
【図２】換気マスクの一例を説明する。
【図３】換気マスク用の保管装置の１つの実施例を説明する。
【図４Ａ】換気マスク用の保管装置の他の実施例を説明する。
【図４Ｂ】換気マスク用の保管装置の他の実施例を説明する。
【図４Ｃ】換気マスク用の保管装置の他の実施例を説明する。
【図４Ｄ】換気マスク用の保管装置の他の実施例を説明する。
【図５Ａ】換気マスク用の保管装置のさらに他の実施例を説明する。
【図５Ｂ】換気マスク用の保管装置のさらに他の実施例を説明する。
【図６】図５Ａ−Ｂの換気マスク用の保管装置の他の図。
【図７Ａ】換気マスク用の保管装置のさらに他の実施例を説明する。
【図７Ｂ】換気マスク用の保管装置のさらに他の実施例を説明する。
【図７Ｃ】換気マスク用の保管装置のさらに他の実施例を説明する。
【発明を実施するための形態】
【００１１】
本発明は、添付の図面を参照して以下により十分に開示され、これら図面に本発明の好ましい実施例が示される。しかしながら、本発明は、異なる形式で具現化されてもよく、ここに述べた実施例に限定されるとは考えるべきではない。寧ろ、これらの実施例は、本発明の教示的な例として提供される。
【００１２】
ここに使用されるように、"ほぼ"及び"殆ど"という言葉は各々１０％以内を意味し、"実質的に"という言葉は少なくとも７５％を意味している。
【００１３】
図３は、換気マスク用の保管装置３００の１つの実施例を説明している。保管装置３００は、第１の本体部材３１０、第２の本体部材３２０、ヒンジ３３０、要素３４０ａ及び３４０ｂから構成される留め金装置、孔又は開口３５０、コネクタ３６０、殺菌システム３７０及びフック３８０を有する閉じることが可能な容器の形式で構成される。
【００１４】
保管装置３００において、第１の本体部材３１０はハウジングであり、第２の本体部材はドアである。
【００１５】
ヒンジ３３０は、第１の本体部材３１０及び第２の本体部材３２０が１つに合わさって、例えば図１に示される換気マスク１０のような換気マスクを収容するために構成される実質的に囲まれた空間３０５をそれら部材間に定めるように、第１の本体部材３１０及び第２の本体部材３２０に接続される。有利なことに、実質的に囲まれた空間３０５は、開口３５０及び３６０を除き、殆ど囲まれている又は完全に囲まれている。
【００１６】
留め金装置の要素３４０ａは、第１の本体部材３１０に接続され、留め金装置の要素３４０ｂは、ドアが閉じられ、留め金装置３４０ａ／３４０ｂが噛み合うとき、第１の本体部材３１０及び第２の本体部材３２０を一緒に保持するために、第２の本体部材３２０に接続される。
【００１７】
開口３５０及びドア３２０にある同様の開口（図３に図示せず）は、ドア３２０が閉じられ、換気マスク１０が装置３００の実質的に囲まれた空間３０５内に置かれ、保管されるとき、回線１５がこの換気マスク１０に接続されることを可能にするために構成される。
【００１８】
コネクタ３６０は、人工呼吸器又は人工呼吸器が設けられた人工呼吸器のカートに取り付けられる支柱(post)又はフックに装置３００が掛ることを可能にする開口又は溝穴(slot)の形式である。
【００１９】
保管装置３００を人工呼吸器若しくは人工呼吸器のカート又は他の適切な構造物に固定するための他のコネクタが用いられることができ、この構造物は非限定の例として、人工呼吸器又は人工呼吸器のカートの一部の周りに装着されるように構成されるフック、人工呼吸器又は人工呼吸器のカートの一部に締め付けられる締め付け装置、人工呼吸器又は人工呼吸器のカートに接続される支柱に装着されるように構成される中空の支柱、並びに１つのストラップ１４又は複数のストラップ（例えばVELCRO（登録商標）又はマジックテープ式のアタッチメントを用いて装着されるストラップ）がコネクタを通り、それにより装置３００を人工呼吸器及び人工呼吸器のカートに固定するために構成される一対の（図１のコネクタ１２に類似する）コネクタを含む。もちろん、装置３００を人工呼吸器若しくは人工呼吸器のカートに固定する、さらには、他の都合のよい固定場所にも固定するための他の機構が用いられることができる。
【００２０】
（幾つかの実施例では省略されている）殺菌システム３７０は、ドア３２０が閉じられるとき、装置３００の実質的に囲まれた空間３０５内に換気マスク１０が置かれている場合、換気マスク１０又は２０を殺菌するように構成される。有利なことに、殺菌システム３７０は、化学的又は他の形式の殺菌が用いられることが予想されたとしても、紫外線を有する。有利なことに、ドア３２０が閉じられるとき及び/又は留め金装置３４０ａ／３４０ｂが噛み合うとき、スイッチ（図示せず）が噛み合い、殺菌システム３７０に電力を供給し、自動的な殺菌サイクルを始める。その場合、装置３００は、既定の時間期間が経過した後、滅菌サイクルを停止するためのタイマを含んでもよい。加えて若しくはその代わりに、手動のスイッチが第１又は第２の本体部材３１０及び３２０に設けられ、殺菌サイクルを開始及び/又は終了させてもよい。さらに、図３に示されはいないが、１つ以上の状態表示灯がハウジング３１０及び/又はドア３２０に設けられ、殺菌サイクルが進行中であるとき及び/又は殺菌サイクルが完了したときを示してもよい。ハウジング３１０に取り付けられるバッテリーによって、及び/又は人工呼吸器の電源供給ストリップに、又さらに電源供給出力部に取り付けられる電気ケーブルによって、殺菌システム３７０に電力が供給される。
【００２１】
（図３に示される実施例ではフックはハウジング３１０に設けられている）第１及び第２の本体部材３１０及び３２０の一方の内部表面上に置かれているフック３８０は、換気マスク１０を前記囲まれた空間３０５内に固定させるために設けられる。
【００２２】
有利なことに、装置３００は再利用可能にするつもりである。その場合、有利なことに、装置３００は、洗浄される及び殺菌／滅菌されることが可能である耐久性のあるプラスチックから構成される。
【００２３】
しかしながら、換気マスクを保管するための装置の他の実施例が使い捨て可能な容器にすることもできる。
【００２４】
図４Ａ−Ｄは、換気マスク用の保管装置４００の他の実施例を説明する。図４Ａ−Ｄに説明されるように、装置４００は、第１の本体部材４１０、第２の本体部材４２０、ヒンジ４３０、要素４４０ａ及び４４０ｂを有する留め金装置、孔又は開口４５０並びにコネクタ４６０を有する"貝殻(clam shell)"構造である。図４Ａ−Ｃに示されるように、装置４００は、実質的に囲まれた空間４０５を定める閉じた位置にあり、換気マスク１０をその空間内に保管する。
【００２５】
装置４００は、製品を包装するのに使用される容器に似た低コストの材料、例えばポリスチレンから形成されることができる。このような容器は、一枚の材料から安価に形成されることができ、従ってコスト効率良く、ちょうど一人の患者ずつの使用及び/又は限られた時間の使用に限定され、次いで処分し、置き換えられる。
【００２６】
ヒンジ４３０は、第１の本体部材４１０及び第２の本体部材４２０が１つに合わさって、例えば換気マスク１０のような換気マスクを収容するために構成される実質的に囲まれた空間４０５をそれら部材間に定めるように、第１の本体部材４１０及び第２の本体部材４２０に接続されている。有利なことに、実質的に囲まれた空間４０５は、開口４５０を除き、殆ど囲まれている又は完全に囲まれている。
【００２７】
留め金装置の要素４４０ａ及び４４０ｂは、留め金装置４４０ａ／４４０ｂが噛み合うとき、第１の本体部材４１０及び第２の本体部材４２０を一緒に保持するように構成される。
【００２８】
開口４５０は、換気マスク１０が装置４００の実質的に囲まれた空間４０５内に置かれるとき、回線１５（例えば柔軟なホース）が換気マスク１０又は２０に接続されることを可能にするために構成される。
【００２９】
コネクタ４６０は、締め付け装置の形式である。
【００３０】
保管装置４００を人工呼吸器若しくは人工呼吸器のカート又は他の適切な構造物に固定するための他のコネクタが用いられることができ、この構造物は非限定の例として、人工呼吸器又は人工呼吸器のカートの一部の周りに装着されるように構成されるフック、人工呼吸器又は人工呼吸器のカートの一部に締め付けられる締め付け装置、人工呼吸器又は人工呼吸器のカートに接続される支柱に装着されるように構成される中空の支柱、並びに１つのストラップ又は複数のストラップ（例えばVELCRO（登録商標）又はマジックテープ式のアタッチメントを用いて装着されるストラップ）がコネクタを通り、それにより装置４００を人工呼吸器及び人工呼吸器のカートに固定するために構成される一対の（図１のコネクタ１２に類似する）コネクタを含む。もちろん、装置４００を人工呼吸器若しくは人工呼吸器のカートに固定する、さらには、他の都合のよい固定場所にも固定するための他の機構が用いられることができる。
【００３１】
ある実施例において、装置４００は、換気マスク１０のための運送用容器として二重の目的を果たすこともできるので、この装置はコストに与える影響を最小限にする。
【００３２】
図５Ａ−Ｂは、換気マスク用の保管装置５００のさらに他の実施例を説明している。図５Ａ−Ｂに説明されるように、装置５００は、第１の本体部材５１０、第２の本体部材５２０、ヒンジ５３０、要素５４０ａ及び５４０ｂを有する留め金装置、並びにコネクタ５６０（換気マスクに接続される回線のための孔又は開口は図５Ａ−Ｂには見ることができない）を有する"貝殻"構造である。図５Ａ−Ｂに示されるように、装置５００は開いた位置にあり、ヒンジ５３０は、第１の本体部材５１０及び第２の本体部材５２０が１つに合わさって、換気マスク（図５Ａ−Ｂには図示せず）を収容及び保管するための実質的に囲まれた空間５０５をそれら部材間に定めるように操作されなければならない。有利なことに、実質的に囲まれた空間５０５は、換気マスクから人工呼吸器までの回線を接続するための開口を除けば、殆ど囲まれている又は完全に囲まれている。
【００３３】
装置５００は装置４００に類似しているので、この装置の詳細な説明は繰り返さず、差異点だけを強調しておく。第１に、上述したように、装置５００は、換気マスク１０がその中に保管された閉じた状態で示される装置４００とは対照的に、如何なる換気マスクもその中に保管されていない開いた状態で、図５Ａ−Ｂに示される。さらに、装置５００は、人工呼吸器又は人工呼吸器のカートの一方の一部の周りに装着されるように構成されるフック又はリングの形式のコネクタ５６０を含む。
【００３４】
図６は、図５Ａ−Ｂの換気マスク用の保管装置５００の他の図である。図６は、その中に換気マスク１０が保管された閉じた状態で装置５００を示す。
【００３５】
保管装置４００、５００及び６００の使用を通して、換気マスク１０は、このマスクが一時的に使用されていないとき、安全且つきれいな場所に固定されるので、このマスクが床に落ちない、すなわち汚染表面と接した状態になはならず、浮遊汚染物質に曝されない。
【００３６】
図７Ａ−Ｃは、換気マスク用の保管装置７００のさらに他の実施例を説明している。
【００３７】
図７Ａは、人工呼吸器（図示せず）を保持するための人工呼吸器のカートの一部を示す。人工呼吸器のカート７５は、そこに支柱５５を備える手すり５０を含む。この支柱５５は、例えば人工呼吸器又は人工呼吸器のカート７５上の様々な場所に付けられるような、多数の他の配置及び構造に設けられることができると理解されるべきである。有利なことに、支柱５５は、その目的が以下に説明されるインデント又は隆起した特徴部を持つ。
【００３８】
図７Ｂは、支柱５５に取り付けられる装置７００を示す。装置７００は、第１の側７１２及び第２の側７１４を持つ本体部材７１０、並びにこの本体部材７１０の第２の側に設けられるコネクタ７２０を含む。第１の側７１２は、換気マスク１０を収容及び保持するように構成される窪みをその中に定める。コネクタ７２０は装置７００を支柱５５に取り付けるように構成される。有利なことに、コネクタ７２０は、中空の支柱であり、支柱５５が中空の支柱７２０の中空の内部に挿入されるように、この中空の内部直径は支柱５５の直径に適合する。有利なことに、中空の支柱７２０の内部表面は、装置７００を支柱５５にしっかりと取り付けるために、支柱５５の特徴部５５Ａと噛み合わせるためのインデント又は隆起した特徴部（図示せず）を持つ。
【００３９】
図７Ｃは、装置７１０の第１の表面７１２の窪みに設けられる換気マスク１０を示す。この配置を通じて、換気マスク１０は、このマスクが一時的に使用されていないとき、安全且つきれいな場所に固定されるので、このマスクは、床に落ちない、すなわち汚染表面と接した状態になはならず、浮遊汚染物質に曝されるのが減少する。
【００４０】
装置７００において多くの変更例が可能である。例えば装置７００は、装置４００及び５００に類似するヒンジ及び貝殻状のカバーを含むことができる。さらに、中空の支柱７２０の代わりに又はそれに加えて、装置７００は、装置３００、４００及び５００に関して上述した他のコネクタ形式の何れかを含むことができる。
【００４１】
上述した実施例の幾つかを組み合わせることも可能である。例えば、使い捨て可能な容器が"ライナー"として働き、再利用可能な容器に結合し、それによりこの再利用可能な容器を清掃又は殺菌する如何なる必要性に対処する。加えて、使い捨て可能な容器のために選択された材料がＵＶ光を透過する場合、又はこの使い捨て可能な容器がＵＶ光源に対するカットアウト(cut out)を有する場合、前記再利用可能な容器は依然として統合されるＵＶ光殺菌システムを利用することができる。
【００４２】
上述したようなマスク保管装置は、病院内及び家庭内で使用するために市販されるものを含め、マスクをインタフェース（例えば侵襲的／非侵襲的な人工呼吸器、非侵襲的な人工呼吸器、ＣＰＡＰ装置、咳介助装置）として使用する全ての装置と共に使用されることができる。その上、ＵＶ殺菌用容器、例えば容器３００は、ベッドサイドで再使用される他の装置に応用性がある。
【００４３】
好ましい実施例がここに開示されている一方、本発明の概念及び範囲内にとどまる多くの変更例が可能である。このような変更例は、ここにおける明細書、図面及び特許請求の範囲を閲覧した後、当業者に明らかとなる。従って、本発明は添付の特許請求の範囲内以外に制限されるべきではない。
【図１】
2013510625.tif 000003
【図２】
2013510625.tif 000004
【図３】
2013510625.tif 000005
【図４Ａ】
2013510625.tif 000006
【図４Ｂ】
2013510625.tif 000007
【図４Ｃ】
2013510625.tif 000008
【図４Ｄ】
2013510625.tif 000009
【図５Ａ】
2013510625.tif 000010
【図５Ｂ】
2013510625.tif 000011
【図６】
2013510625.tif 000012
【図７Ａ】
2013510625.tif 000013
【図７Ｂ】
2013510625.tif 000014
【図７Ｃ】
2013510625.tif 000015
【国際調査報告】
2013510625.tif 000016
2013510625.tif 000017
2013510625.tif 000018
2013510625.tif 000019